(57)【特許請求の範囲】
【請求項１】
略三角錐の使用形態に組み立てられる折り畳み式標識具であって、前記略三角錐の頂点（Ｐ）を囲う３面（S1,S2,S3) のうち、その２面（S1,S2)が、夫々一枚板（2, 3）で形成されると共に、それら一枚板 (2, 3) 同士が内側に折り畳み可能に連結され、残る１面（S3) が、略左右対称形に分割された半割り板 (5R, 5L) 同士を折り畳み可能に連結して成ると共に、それら各半割り板 (5R, 5L) が夫々に隣接する前記各一枚板（2, 3）に対して内側に折り畳み可能に連結されていることを特徴とする折り畳み式標識具。
【請求項２】
把手となる吊り紐(14)が、前記各半割り板 (5R, 5L) 夫々の上部側に略同じ高さで穿設された一対の紐通し孔 (15R, 15L) と、前記各一枚板（2, 3）夫々の上部側に前記各紐通し孔 (15R, 15L) よりも高位置に略同じ高さで穿設された一対の紐通し孔 (16, 17) との間に、前記略三角錐の内側から掛け回されている請求項１記載の折り畳み式標識具。
【請求項３】
前記各板（2,3,5R,5L)が蝶番 (4, 6, 7, 8) で折り畳み可能に連結されると共に、これら各蝶番 (4, 6, 7, 8) のうち、少なくとも一つが、前記略三角錐を折り畳んだときに内側に閉じた両辺を外側に開く方向に付勢されている請求項１又は２記載の折り畳み式標識具。
【発明の詳細な説明】
【０００１】
【発明の属する技術分野】
本発明は、道路や駐車場などに並べ置いて車両や歩行者の通行を禁止したり通行方向を規制する交通規制用標識や道案内標識として用いたり、あるいは、ホテル等の建物内に置いて会場案内標識として用いたり、店舗の広告塔などとして用いたり、さらには、旗や幟などを立てる支柱の支持脚体として用いることもできる折り畳み式標識具に関する。
【０００２】
【従来の技術】
交通事故の検証現場や道路工事，電線工事の工事現場などに並べ置かれるコーン形の標識具としては、図７に示すように、とんがり帽子のようなコーン４０とその下端部周囲にフランジのように水平に突出する四角いベース４１とが赤色の着色プラスチックで立体的に一体成形されたカラーコーンが一般に普及している。
このように全体がプラスチックで成形された普及品のカラーコーンは、使用現場に運んでそのまま直ぐ使用できると言う利点がある反面、大きくて嵩張るため運搬や保管が不便であるという欠点があった。
【０００３】
特に、カラーコーンを沢山使用する道路工事では、カラーコーンの運搬に使用するトラックの台数が多くなり、その分だけ工事費が嵩むという問題があった。
また、電線工事では、電柱１本あたりに３つのカラーコーンを置くことが義務付けられており、工事しようとする電線が複数の電柱に架け渡されている場合には、その電柱の数の３倍のカラーコーンを使用しなければならないが、小型の工事車両ではそれを運搬することができないため、ある程度安全性を犠牲にしてカラーコーンを置かずに工事する場合も多かった。
さらに、コーン４０内に他のカラーコーンのコーン４０を挿入させて多段に積み重ねた状態でも、普通乗用車のトランク内には僅かな数しか入らないので、交通事故の検証現場に駆けつけるパトカーや、交通検問の現場に出掛けるパトカーなどに、その現場で必要な数量分のカラーコーンを携帯させることができず、別途の車を使って運搬しなければならないという不便があった。
【０００４】
このような事情に鑑み、図８及び図９に示すように、四角いプラスチック板でなるベース５０の中央に、太さの異なる複数本のパイプ５２，５３，５４で振出竿のごとき伸縮自在な多重管構造に形成された支柱５１を触設し、その支柱５１の上から円錐状に成形されたシート製コーン５５を被せて当該コーン５５の上端を支柱５１の上端に冠着されるキャップ５６で固定すると共に、当該コーン５５の下端をベース５０に固定して、使用時には、キャップ５６の部分を手で掴んで持ち上げることにより、図８の如く支柱５１を伸長させてコーン５５を円錐状に張り上げ、また、運搬時や保管時には、キャップ５６を手で押し下げることにより、図９の如く支柱５１を収縮させてコーン５５を押し潰したように折り畳める標識具が提案されている（実開平５−８３０１８号公報）。
【０００５】
【発明が解決しようとする課題】
しかし、上記の標識具は、図９の如く支柱５１を完全に収縮させた状態でも、その支柱５１が少なくともパイプ５２〜５４の一本分の長さに相当する高さだけベース５０上に突出しているので、あまり嵩減りしない。
しかも、ベース５０上に支柱５１が突出した標識具は図６の普及品のように、多段に積み重ねることもできず、単に寄せ集めた状態で運搬したり保管せざるを得ないから、運搬や保管が便利になるどころか、却って不便になるという致命的な欠点があるため、実用化に至っていない。
また、ベース５０上に突出した支柱５１は、運搬や保管の際に折れ曲がったり破損するおそれがある。
【０００６】
そこで本発明は、折り畳みや組み立てが極めて簡単で、使用時はコーンのような立体形状に組み立てて立設することができ、運搬時や保管時には平らな状態に折り畳んで極めてコンパクトに収納できる構造にすることを技術的課題としている。
【０００７】
【発明が解決しようとする課題】
この課題を解決するために、本発明は、略三角錐の使用形態に組み立てられる折り畳み式標識具であって、前記略三角錐の頂点を囲う３面のうち、その２面が、夫々一枚板で形成されると共に、それら一枚板同士が内側に折り畳み可能に連結され、残る１面が、略左右対称形に分割された半割り板同士を折り畳み可能に連結して成ると共に、それら各半割り板が夫々に隣接する前記各一枚板に対して内側に折り畳み可能に連結されていることを特徴とする。
【０００８】
本発明の折り畳み式標識具によれば、使用時には、略三角錐の立体形状に組み立てられるので極めて安定がよく、いずれの方向から風が強く吹きつけても倒れにくい。また、頂点を囲む各面が平面で形成されるので、その表面に文字，図形などを簡単に施すことができるだけでなく、大きな文字や図形を表しても、これを正面に向けたときに完全な形で表すことができる。
【０００９】
そして、略三角錐の頂点を囲う３面のうち、その２面を形成する一枚板が内側に折り畳み可能に連結され、残る１面を形成する半割り板が夫々に隣接する前記各一枚板に対して内側に折り畳み可能に連結されているので、各半割り板を三角錐の内側に折り込んで行くと、その両端に連結された一枚板同士が互いに近づいて重なり、その一枚板の大きさに折り畳むことができる。
【００１０】
さらに、各半割り板夫々の上部側に略同じ高さで穿設された一対の紐通し孔と、各一枚板夫々の上部側に前記各紐通し孔よりも高位置に略同じ高さで穿設された一対の紐通し孔との間に、把手となる吊り紐を略三角錐の内側から掛け回せば、この吊り紐を持って標識具を持ち上げるだけで、この吊り紐により各半割り板の両端側が内側に引っ張られて当該半割り板が折り畳まれると同時に、これに連結されている各一枚板が互いに近づくように内側に折り畳まれる。
【００１１】
さらにまた、前記各一枚板及び半割り板を蝶番で連結し，そのうち、少なくとも一つに例えばバネ蝶番を用いて、前記略三角錐を折り畳んだときに内側に閉じた両辺を外側に開く方向に付勢するようにしてもよい。
この場合は、開いている標識具を水平に倒すとバネ蝶番の弾撥力に抗してその自重により略三角錐が自動的に平板状に折り畳まれ、折り畳まれた標識具を立てていくとバネ蝶番に作用していた荷重が解放されるので、その弾撥力により標識具が略三角錐状に自動的に開く。
【００１２】
【発明の実施の形態】
以下、本発明の実施形態を図面に基づいて具体的に説明する。
図１は本発明に係る折り畳み式標識具の一例を示す斜視図、図２はこれを畳んだ状態を示す斜視図、図３は組み立てる途中の状態を示す説明図、図４は使用状態を示す説明図、図５は他の実施形態を示す斜視図、図６はさらに他の実施形態を示す斜視図である。
【００１３】
図中１は、底面のない筒状の略三角錐に組み立てられて使用される折り畳み式標識具であって、略三角錐の頂点Ｐを囲う３面Ｓ1 〜Ｓ3 のうち、その２面Ｓ1 ，Ｓ2 が、夫々一枚板２，３で形成されると共に、それら一枚板同士が蝶番４，４で内側に折り畳み可能に連結され、残る１面Ｓ3 が、略左右対称形に分割された半割り板５Ｒ，５Ｌ同士を蝶番６，６で連結して成ると共に、それら各半割り板５Ｒ，５Ｌが夫々に隣接する前記各一枚板２，３に対して蝶番７，８で内側に折り畳み可能に連結されている。
【００１４】
また、標識具１の頂点Ｐを囲う各面Ｓ1 〜Ｓ3 には、その底辺の両端が脚部９，９となるように、前記各一枚板２，３及び半割り板５Ｒ，５Ｌの下端縁が円弧状に切り欠かれており、前記各脚部９で標識具１を三点支持することにより、路面などの凹凸があっても安定よく立てることができるようになされている。
さらに、脚部９にはスリップ止めのゴム１０が前記略三角錐の外側に突出するように取り付けられており、当該ゴム１０の上にウエイト１１を置くことができるように成されている。
【００１５】
なお、前記一枚板２，３及び半割り板５Ｒ，５Ｌは、塩化ビニル，ポリエチレン，再生プラスチックなどのプラスチックで形成されると共に、その表面に標識となる文字，図形などを施したり、表面の全体又は一部をリフレクタ板で形成したり、また、反射シールを貼付することもできる。
さらに、当該各板２，３及び５Ｒ，５Ｌは、略三角錐を組み立てたときにその頂点Ｐに信号灯１２などを挿し込んで装着する挿込部１３が形成されるように、その先端部分がカットされて形成されている。
【００１６】
また、１４は把手となる吊り紐であって、前記各半割り板５Ｒ，５Ｌ夫々の上部側に略同じ高さで穿設された一対の紐通し孔１５Ｒ，１５Ｌと、前記各一枚板２，３夫々の上部側に前記各紐通し孔１５Ｒ，１５Ｌよりも高位置に略同じ高さで穿設された一対の紐通し孔１６，１７との間に、略三角錐の内側から掛け回されている。この吊り紐１４を持って標識具１を持ち上げると、吊り紐１４が引っ張られて、各半割り板５Ｒ，５Ｌが蝶番６から折れると同時に、蝶番７，８を介して各半割り板５Ｒ，５Ｌに連結されている各一枚板２，３が蝶番４から折り畳まれ、標識具１は自動的に折り畳まれる。
【００１７】
なお、前記各蝶番４，６，７，８のうち、一枚板２，３同士を連結する蝶番４と、一枚板２，３と各半割り板５Ｒ，５Ｌを連結する蝶番７，８は、硬質ゴム製のものが用いられておりいる。
また、各蝶番４，６，７，８のうち少なくとも一つ、例えば、一枚板３と半割り板５Ｌを連結する蝶番７のうちの一つに、略三角錐を折り畳んだときに内側に閉じた両辺を外側に開く方向に付勢されるバネ蝶番７ａが用いられている。
【００１８】
以上が本発明の一例構成であって、次に、その作用について説明する。
標識具１を使用する際は、図２に示すように折り畳まれた状態で、標識具１の吊り紐１４を持って当該標識具１を立てると、バネ蝶番７ａの弾撥力により一枚板３と半割り板５Ｌが押し拡げられ、これに伴い他の一枚板２及び半割り板５Ｒも自動的に押し拡げられることになるので、図３に示すように標識具１が徐々に三角錐形状に拡がっていき、何らの操作を行うことなく、極めて簡単に標識具１を立てることができる。
また、略三角錐の脚部９で標識具１を三点支持するように組み立てられるので、路面などの凹凸があっても安定よく立てることができ、いずれの方向から風が強く吹きつけても倒れにくい。
【００１９】
このとき、頂点Ｐには、信号灯１２を挿し込んで装着する挿込部１３が形成されるので、夜間は当該挿込部１３に信号灯１２の把手部分を挿し込んで信号灯１２を点灯させることにより夜間用標識具として使用することができる。
また、標識具１の各板２，３，５Ｒ，５Ｌを光透過率の比較的高いプラスチック板で形成し、信号灯１２の点灯部を標識具１の略三角錐内に挿し込むように挿入すれば、標識具１の全体を光らせることもできる。
【００２０】
さらに、組み立てたときに円錐ではなく略三角錐となり、三つの平面Ｓ1 〜Ｓ3 で頂点Ｐを囲むこととなるので、略三角錐の各面Ｓ1 〜Ｓ3 に夫々異なるマーク（例えば右向き矢印，左向き矢印，進入禁止）を施し、図４に示すようにその正面に見せたいマークを位置させて配列することにより、一種類の標識具を用いてその置き方を変えるだけで、様々な交通規制を行うことができる。
さらにまた、各面Ｓ1 〜Ｓ3 は平面なので、印刷などにより文字，図形などを簡単にその表面に表すことができるだけでなく、これらの文字を正面から見た場合に完全な形で視認することができるので、大きな文字，図形を表すことができ、遠くからも標識の内容が非常に見やすいという標識具１にとって最大のメリットがある。
【００２１】
次いで、これを折り畳むときは、把手となる吊り紐１４を持って標識具１を持ち上げれば、この吊り紐１４により各半割り板５Ｒ，５Ｌの両端側が内側に引っ張られて当該半割り板５Ｒ，５Ｌが蝶番６で折り畳まれると同時に、これに連結されている各一枚板２，３が蝶番４で互いに近づくように内側に折り畳まれていき、各板２，３，５Ｒ，５Ｌが平板状に重なり、標識具１はバネ蝶番７ａの弾撥力に抗して平板状に折り畳まれることになる。
この場合に、バネ蝶番７ａの弾撥力を適度に選定し、標識具１を横に倒したときにかかる負荷より僅かに弱くすれば、開いている標識具１を倒すだけでバネ蝶番７ａの弾撥力に抗してその自重により標識具１が自動的に折り畳まれる。
【００２２】
なお、本発明は上記実施形態に限らず、例えば、図５に示すように、把手となる吊り紐１４がない場合や、各面Ｓ1 〜Ｓ3 の底辺を円弧状に切り欠かない場合や、さらに、バネ蝶番７ａを用いない場合であってもよい。
また、複数の標識具１同士を互いに連結棒２０で連結すれば、各標識具１をより安定して立てることでがきる。この連結棒２０は、その両端にリング２１が形成され、当該リング２１内に標識具１の頂部Ｐを挿し込む三角形の差込孔２２を形成した回転円板２３が回動自在に装着されており、標識具１を任意の向きに向けて連結することができるようになされている。
【００２３】
さらに、図６は他の実施形態を示し、本例の標識具１は、リモートコントロールにより折り畳み／立設を可能としたものである。なお，図１と共通する部分については同一符号を付して詳細説明を省略する。
本例の標識具１は、一方の一枚板３がその底辺を回転軸としてベース２５に対してモータ２６により回動可能に連結されている。
【００２４】
そして、折り畳み時はモータ２６により一枚板３を水平に倒すと、標識具１を形成する他の板２，５Ｒ，５Ｌの自重により、各半割り板５Ｒ，５Ｌが折り畳まれると同時に、これに連結されている一枚板２が一枚板３に近づくように内側に折り畳まれるので、標識具１はバネ蝶番７ａの弾撥力に抗して平板状に折り畳まれることになる。
【００２５】
また、使用時にはモータ２６により一枚板３を起こすと、バネ蝶番７ａに作用していた標識具１の各板２，５Ｒ，５Ｌの荷重が解放されるので、バネ蝶番７ａの弾撥力により一枚板３と半割り板５Ｌが押し拡げられ、これに伴い他の一枚板２及び半割り板５Ｒも自動的に押し拡げられる。
このような標識具１を駐車場のような広い場所の進路に沿って予め設置しておき、高所から見渡せる場所で、駐車スペースの空き状況に応じてモータ２６を遠隔操作することにより、進入してきた車を駐車スペースまで簡単に誘導することができる。
【００２６】
なお、上述の説明では、いずれも標識具１の構成する一枚板２，３及び半割り板５Ｒ，５Ｌを蝶番４，６，７，８で連結した場合について説明したが、本発明はこれに限らず、例えば、各板２，３，５Ｒ，５Ｌを折り畳み可能にリングで連結したり、略三角錘を展開した形状のプラスチック板を折り曲げて筒状の三角錐を形成し、その始端縁と終端縁のみを蝶番やバネ蝶番で連結するようにしてもよい。
また、本例の標識具１によれば、標識として用いるだけでなく、販売促進のための店頭キャンペーンを行う際などに、その看板や旗の支柱などを頂点Ｐの挿込孔１３に挿し込んで支持する支持脚体として用いることもできる。
【００２７】
【発明の効果】
以上述べたように、本発明によれば、使用時は略三角錐に組み立てられるので、路面などに安定よく立てることができるだけでなく、その表面が平面で形成されいてるので文字，図形などを簡単に施すことができ、しかも、これを正面から見た場合に完全な形で視認することができるので大きな文字などを施すことができ、遠くからも見やすいという効果がある。
また、略三角錐の頂点を囲う３面のうち、その２面を形成する一枚板が蝶番で内側に折り畳み可能に連結され、残る１面を形成する半割り板が夫々に隣接する前記各一枚板に対して蝶番で内側に折り畳み可能に連結されており、蝶番で連結された各半割り板を三角錐の内側に折り込んで行くと、その両端に連結された一枚板同士が互いに近づいて平板状に折り畳むことができるので、運搬時や保管時には極めてコンパクトに収納することができるという大変優れた効果を有する。
【図面の簡単な説明】
【図１】本発明に係る折り畳み式標識具を示す斜視図。
【図２】これを折り畳んだ状態を示す斜視図。
【図３】それを組み立てる途中の状態を示す斜視図。
【図４】他の使用状態を示す説明図
【図５】他の実施形態を示す斜視図。
【図６】さらに他の実施形態を示す斜視図。
【図７】従来一般の標識具を示す斜視図。
【図８】従来の折り畳み式標識具を示す斜視図。
【図９】図７に示す標識具の保管状態を示す断面図。
【符号の説明】
１・・・・・・・・折り畳み式標識具
Ｐ・・・・・・・・頂点
Ｓ1 〜Ｓ3 ・・・・頂点を囲う面
２，３・・・・・・一枚板
５Ｒ，５Ｌ・・・・半割り板
４，６，７，８・・蝶番
７ａ・・・・・・・バネ蝶番
１４・・・・・・・・吊り紐
１５Ｒ，１５Ｌ・・・紐通し孔
１６，１７・・・・・紐通し孔
【図１】
0003769076.tif 000002
【図２】
0003769076.tif 000003
【図３】
0003769076.tif 000004
【図４】
0003769076.tif 000005
【図５】
0003769076.tif 000006
【図６】
0003769076.tif 000007
【図７】
0003769076.tif 000008
【図８】
0003769076.tif 000009
【図９】
0003769076.tif 000010